(57)【特許請求の範囲】
【請求項１】
入力電圧を変圧する電源変圧器と、前記電源変圧器を狭持する板金製の略逆コ字型変圧器固定板と、前記略逆コ字型変圧器固定板に形成した爪を係合する角穴を形成した板金製の変圧器取付板と、前記略逆コ字型変圧器固定板に形成した爪を係止する角穴を形成した外槽と、前記変圧器取付板と前記外槽との間に設け前記略逆コ字型変圧器固定板に形成した爪を係合する角穴を形成し前記変圧器取付板よりも面積を広くした板金製の変圧器取付補助板とを備え、前記変圧器取付補助板を前記外槽と反対側に反った形状に形成した電気洗濯機。
【請求項２】
板金製の変圧器取付板は、外槽と反対側に反った形状に形成した請求項１記載の電気洗濯機。
【請求項３】
板金製の略逆コ字型変圧器固定板にねじ穴を形成し、板金製の変圧器取付板と板金製の変圧器取付補助板に穴を形成して、ねじで固定する構成にした請求項１記載の電気洗濯機。
【請求項４】
板金製の変圧器取付補助板の内面に、電源変圧器側に凸となる段押しを形成し、外槽と当接する側の端面部を角のない形状に形成した請求項１記載の電気洗濯機。
【発明の詳細な説明】
【０００１】
【発明の属する技術分野】
本発明は、入力電圧が異なる電圧仕様に対応可能な電気洗濯機に関する。
【０００２】
【従来の技術】
従来、海外向けなど電圧仕様が異なる電気洗濯機は図４に示すように構成していた。以下、その構成について説明する。
【０００３】
図に示すように、外槽１は、内部に水受槽２を懸垂支持しており、この水受槽２内に回転自在に洗濯脱水槽３および撹拌翼４を配設している。水受槽２の底部には、水受槽２の中心に減速機構部５を配設し、撹拌翼４を駆動するようにし、減速機構部５にモータ６より駆動力を伝達するようにしている。給水弁７は、水受槽２に給水し、排水弁８は、水受槽２内の洗濯水を排水する。制御装置９は、モータ６、給水弁７および排水弁８の動作を制御する。これらモータ６、給水弁７、排水弁８、制御装置９などの使用している電装部品は、海外の仕向地の電圧仕様にあわせて構成し、製品化していた。
【０００４】
【発明が解決しようとする課題】
このような従来の構成では、モータ６、給水弁７、排水弁８、制御装置９などの使用している電装部品は、すべて海外の電圧仕様にあわせて構成しなければならないために、それぞれの電装部品において、積厚や巻線仕様について検討し開発しなければならなかった。また、モータ６や制御装置９は、製品により異なるため、製品開発ごとに海外の電圧仕様（たとえば１１０Ｖ、１２０Ｖ、２２０Ｖ、２３０Ｖ、２４０Ｖ）にあわせて構成していた。すなわち、輸出仕様の電気洗濯機の開発期間を短縮する必要があるが、短期間に各種電装部品などの信頼性を確保することは困難であった。
【０００５】
本発明は上記従来の課題を解決するもので、入力電圧を変圧する電源変圧器を搭載することによって、使用している電装部品を電圧仕様にあわせて構成しなくてもよいようにし、かつ輸送時の強い衝撃が加わっても、電源変圧器の重みで外槽を変形させることがなく、外槽への打痕の発生をなくすることを目的としている。
【０００６】
【課題を解決するための手段】
本発明は上記目的を達成するために、入力電圧を変圧する電源変圧器を狭持する板金製の略逆コ字型変圧器固定板に形成した爪を板金製の変圧器取付板に形成した角穴に係合するとともに、外槽に形成した角穴に係止する。変圧器取付板と外槽との間に変圧器取付板よりも面積を広くした板金製の変圧器取付補助板を設け、この板金製の変圧器取付補助板に形成した角穴に略逆コ字型変圧器固定板に形成した爪を係合し、変圧器取付補助板を外槽と反対側に反った形状に形成したものである。
【０００７】
これにより、入力電圧を変圧する電源変圧器を搭載することによって、海外の電圧仕様の対応が可能となり、電装部品を海外の電圧仕様にあわせて構成する必要がなく、かつ、輸送時の強い衝撃が加わっても、電源変圧器の重みで外槽を変形させることがなく、外槽への打痕の発生をなくすることができる。
【０００８】
【発明の実施の形態】
本発明の請求項１に記載の発明は、入力電圧を変圧する電源変圧器と、前記電源変圧器を狭持する板金製の略逆コ字型変圧器固定板と前記略逆コ字型変圧器固定板に形成した爪を係合する角穴を形成した板金製の変圧器取付板と、前記略逆コ字型変圧器固定板に形成した爪を係止する角穴を形成した外槽と、前記変圧器取付板と前記外槽との間に設け前記略逆コ字型変圧器固定板に形成した爪を係合する角穴を形成し前記変圧器取付板よりも面積を広くした板金製の変圧器取付補助板とを備え、前記変圧器取付補助板を前記外槽と反対側に反った形状に形成したものであり、入力電圧を変圧する電源変圧器を搭載することによって、海外の電圧仕様の対応が可能となり、電装部品を海外の電圧仕様にあわせて構成する必要がなく、かつ、変圧器取付補助板を外槽と反対側に反った形状に形成しているために、変圧器取付補助板の端面部と外槽との間に微小な隙間ができ、海外向けへの輸送時の強い衝撃が加わっても、板金製の変圧器取付補助板により電源変圧器の重みで外槽を変形させることがなく、変圧器取付補助板の端面部による外槽への打痕の発生をなくすることができる。
【０００９】
請求項２に記載の発明は、上記請求項１に記載の発明において、板金製の変圧器取付板は、外槽と反対側に反った形状に形成したものであり、海外向けへの輸送時の強い衝撃が加わっても、板金製の変圧器取付板が電源変圧器の重みで外槽を変形させることがなく、変圧器取付板の端面部による外槽への打痕の発生をなくすることができる。
【００１０】
請求項３に記載の発明は、上記請求項１に記載の発明において、板金製の略逆コ字型変圧器固定板にねじ穴を形成し、板金製の変圧器取付板と板金製の変圧器取付補助板に穴を形成して、ねじで固定する構成にしたものであり、電源変圧器を狭持する略逆コ字型変圧器固定板、変圧器取付板および変圧器取付補助板をユニット化することができ、外槽への組立作業性を向上することができるとともに、海外向けへの輸送時の強い衝撃が加わっても、電源変圧器の重みで外槽を変形させることがないようにできる。さらに、略逆コ字型変圧器固定板に形成した爪を変圧器取付補助板に形成した角穴に引っ掛けることにより、確実にユニット化できる。
【００１１】
請求項４に記載の発明は、上記請求項１に記載の発明において、板金製の変圧器取付補助板の内面に、電源変圧器側に凸となる段押しを形成し、外槽と当接する側の端面部を角のない形状に形成したものであり、変圧器取付補助板は段押しにより機械的強度を向上することができ、海外向けへの輸送時の強い衝撃でも変圧器取付補助板が変形するのを防止できる。また、電源変圧器側に凸となる段押しを形成し、外槽と当接する側の端面部を角のない形状に形成しているため、外槽への打痕の発生をなくすることができる。
【００１２】
【実施例】
以下、本発明の一実施例について、図１から図３を参照しながら説明する。なお、従来例と同じ構成のものは同じ符号を付して説明を省略する。
【００１３】
図に示すように、電源変圧器１０は、モータ６、給水弁７、排水弁８および制御装置９などの電装部品への入力電圧を変圧するもので、板金製の略逆コ字型変圧器固定板１１と板金製の変圧器取付板１２で狭持されている。略逆コ字型変圧器固定板１１に爪１３を形成し、変圧器取付板１２に形成した角穴１４に爪１３を係合する。
【００１４】
外槽１には、略逆コ字型変圧器固定板１１に形成した爪１３を係止する角穴１５を形成している。変圧器取付板１２と外槽１との間に、板金製の変圧器取付補助板１６を配設し、略逆コ字型変圧器固定板１１に形成した爪１３を係合する角穴１７を形成している。変圧器取付補助板１６は、変圧器取付板１２よりも面積を広くし、外槽１と反対側に反った形状に形成している。また、板金製の変圧器取付板１２は、外槽１と反対側に反った形状に形成している。
【００１５】
また、板金製の略逆コ字型変圧器固定板１１にねじ穴２０を形成し、板金製の変圧器取付板１２と板金製の変圧器取付補助板１６に穴２１を形成して、ねじ２２で固定する構成にしている。さらに、板金製の変圧器取付補助板１６の内面に、電源変圧器１０側に凸となる段押し２３を形成し、外槽１と当接する側の端面部１８を角のない形状に形成している。
【００１６】
上記構成において、入力電圧を変圧する電源変圧器１０を使用することにより、モータ６、給水弁７、排水弁８、制御装置９などの使用している電装部品すべてを海外の電圧仕様にあわせて構成する必要がなく、それぞれの電装部品において、積厚や巻線仕様について検討し開発しなくてよい。また、従来、モータ６や制御装置９においては、製品により異なるため、製品開発ごとに海外の電圧仕様（たとえば１１０Ｖ、１２０Ｖ、２２０Ｖ、２３０Ｖ、２４０Ｖ）にあわせて構成していたが、入力電圧を変圧する電源変圧器１０を使用することにより、モータ６や制御装置９の電圧対応は不必要となる。
【００１７】
入力電圧を変圧する電源変圧器１０を搭載することによって、海外の電圧仕様の対応が可能となり、開発日程の短縮化が図れる。ここで、入力電圧を変圧する電源変圧器１０は海外の電圧仕様にあわせて、１１０Ｖ用、１２０Ｖ用、２２０Ｖ用、２３０Ｖ用、２４０Ｖ用にそれぞれ対応してもよいし、低電圧用、高電圧用にわけて対応してもよい。
【００１８】
また、変圧器取付板１２と外槽１との間に、略逆コ字型変圧器固定板１１に形成した爪１３を係合する角穴１７を形成し変圧器取付板１２よりも面積を広くした板金製の変圧器取付補助板１６を配設し、変圧器取付補助板１６を外槽１と反対側に反った形状に形成しているため、海外向けへの輸送時の強い衝撃が加わっても、板金製の変圧器取付補助板１６により電源変圧器１０の重みで外槽１を変形させることがなく、変圧器取付補助板１６の端面部１８による外槽１への打痕の発生がなくなる。これは、変圧器取付補助板１６を外槽１と反対側に反った形状に形成しているために、変圧器取付補助板１６の端面部１８と外槽１との間に微小な隙間があるためである。
【００１９】
また、板金製の変圧器取付板１２を、外槽１と反対側に反った形状に形成しているため、海外向けへの輸送時の強い衝撃が加わっても、板金製の変圧器取付板１２が電源変圧器１０の重みで外槽１を変形させることがなく、変圧器取付板１２の端面部１９による外槽１への打痕の発生がなくなる。
【００２０】
また、板金製の略逆コ字型変圧器固定板１１にねじ穴２０を形成し、板金製の変圧器取付板１２と板金製の変圧器取付補助板１６に穴２１を形成して、ねじ２２で固定しているため、電源変圧器１０を狭持する略逆コ字型変圧器固定板１１、変圧器取付板１２および変圧器取付補助板１６をユニット化することができ、外槽１への組立作業性を向上することができるとともに、海外向けへの輸送時の強い衝撃が加わっても、電源変圧器１０の重みで外槽１を変形させることがなくなる。さらに、略逆コ字型変圧器固定板１１に形成した爪１３を変圧器取付補助板１６に形成した角穴１７に引っ掛けることにより、確実にユニット化することができる。
【００２１】
また、板金製の変圧器取付補助板１６の内面に、電源変圧器１０側に凸となる段押し２３を形成し、外槽１と当接する側の端面部１８を角のない形状に形成しているため、板金製の変圧器取付補助板１６の機械的強度を向上することができ、海外向けへの輸送時の強い衝撃でも変圧器取付補助板１６が変形するのを防止できる。また電源変圧器１０側に凸となる段押し２３を形成し、外槽１と当接する側の端面部１８を角のない形状に形成しているため、外槽１への打痕の発生がなくなる。
【００２２】
【発明の効果】
以上のように本発明の請求項１に記載の発明によれば、入力電圧を変圧する電源変圧器と、前記電源変圧器を狭持する板金製の略逆コ字型変圧器固定板と前記略逆コ字型変圧器固定板に形成した爪を係合する角穴を形成した板金製の変圧器取付板と、前記略逆コ字型変圧器固定板に形成した爪を係止する角穴を形成した外槽と、前記変圧器取付板と前記外槽との間に設け前記略逆コ字型変圧器固定板に形成した爪を係合する角穴を形成し前記変圧器取付板よりも面積を広くした板金製の変圧器取付補助板とを備え、前記変圧器取付補助板を前記外槽と反対側に反った形状に形成したから、入力電圧を変圧する電源変圧器を搭載することによって、海外の電圧仕様の対応が可能となり、電装部品を海外の電圧仕様にあわせて構成する必要がなく、かつ、変圧器取付補助板を外槽と反対側に反った形状に形成しているために、変圧器取付補助板の端面部と外槽との間に微小な隙間ができ、海外向けへの輸送時の強い衝撃が加わっても、板金製の変圧器取付補助板により電源変圧器の重みで外槽を変形させることがなく、変圧器取付補助板の端面部による外槽への打痕の発生をなくすることができる。
【００２３】
また、請求項２に記載の発明によれば、板金製の変圧器取付板は、外槽と反対側に反った形状に形成したから、海外向けへの輸送時の強い衝撃が加わっても、板金製の変圧器取付板が電源変圧器の重みで外槽を変形させることがなく、変圧器取付板の端面部による外槽への打痕の発生をなくすることができる。
【００２４】
また、請求項３に記載の発明によれば、板金製の略逆コ字型変圧器固定板にねじ穴を形成し、板金製の変圧器取付板と板金製の変圧器取付補助板に穴を形成して、ねじで固定する構成にしたから、電源変圧器を狭持する略逆コ字型変圧器固定板、変圧器取付板および変圧器取付補助板をユニット化することができ、外槽への組立作業性を向上することができるとともに、海外向けへの輸送時の強い衝撃が加わっても、電源変圧器の重みで外槽を変形させることがないようにできる。さらに、略逆コ字型変圧器固定板に形成した爪を変圧器取付補助板に形成した角穴に引っ掛けることにより、確実にユニット化できる。
【００２５】
また、請求項４に記載の発明によれば、板金製の変圧器取付補助板の内面に、電源変圧器側に凸となる段押しを形成し、外槽と当接する側の端面部を角のない形状に形成したから、変圧器取付補助板は段押しにより機械的強度を向上することができ、海外向けへの輸送時の強い衝撃でも変圧器取付補助板が変形するのを防止できる。また、電源変圧器側に凸となる段押しを形成し、外槽と当接する側の端面部を角のない形状に形成しているため、外槽への打痕の発生をなくすることができる。
【図面の簡単な説明】
【図１】本発明の一実施例の電気洗濯機の一部切欠した分解斜視図
【図２】同電気洗濯機の一部切欠した要部拡大正面図
【図３】同電気洗濯機の断面図
【図４】従来の電気洗濯機の断面図
【符号の説明】
１  外槽
１０  電源変圧器
１１  略逆コ字型変圧器固定板
１２  変圧器取付板
１３  爪
１４  角穴
１５  角穴
１６  変圧器取付補助板
１７  角穴
【図１】
0003750271.tif 000002
【図２】
0003750271.tif 000003
【図３】
0003750271.tif 000004
【図４】
0003750271.tif 000005